(57)【要約】【課題】ＳＡＮ統合やＳＡＮの規模拡大時にも統合的に記憶装置を管理すること。【解決手段】統合管理計算機４０１は、管理端末５０１からの操作要求に応答して、管理計算機３０１、３０２から記憶装置２０１、２０２に関する管理情報を収集し、収集した管理情報を基に操作要求に従った処理を分担すべき管理計算機３０１、３０２を選択し、選択した管理計算機３０１、３０２に対して、管理計算機３０１、３０２の管理対象となる記憶装置２０１、２０２で管理すべき管理機能を提供し、管理機能が提供された管理計算機３０１、３０２からその処理情報を収集し、収集した処理情報を統合管理する。【選択図】図１
2008117251.tif 000002
【特許請求の範囲】
【請求項１】
通信ネットワークに接続された複数の記憶装置のいずれかを管理対象とする複数の管理計算機と通信路を介して接続された統合管理計算機であって、
前記各管理計算機から各管理計算機の管理対象となる記憶装置に関する管理情報を収集し、収集した管理情報を基に要求に従った処理を分担すべき管理計算機を選択する管理計算機選択部と、前記管理計算機選択部の選択による管理計算機に対して、当該管理計算機の管理対象となる記憶装置で管理すべき管理機能を提供する管理機能提供部と、前記管理機能が提供された管理計算機からその処理情報を収集し、収集した処理情報を統合管理する統合管理部とを備えていることを特徴とする統合管理計算機。
【請求項２】
前記管理計算機選択部は、記憶領域と該記憶領域を所有する記憶装置との対応関係を含む管理情報を基に前記記憶領域に対する管理機能を提供すべき管理計算機を選択することを特徴とする請求項１に記載の統合管理計算機。
【請求項３】
前記管理計算機選択部は、前記通信ネットワークに接続されて記憶領域が割当てられているホスト計算機と該ホスト計算機を管理対象とする管理計算機との対応関係を含む管理情報を基に前記ホスト計算機に割り当てられた記憶領域に対する管理機能を提供すべき管理計算機を選択することを特徴とする請求項１に記載の統合管理計算機。
【請求項４】
前記管理計算機選択部は、前記記憶装置が提供するリソース、または、前記通信ネットワークに接続されて記憶領域が割当てられているホスト計算機のグループとグループを管理対象とする管理計算機との対応関係を含む管理情報を基に前記グループに対する管理機能を提供すべき管理計算機を選択することを特徴とする請求項１に記載の統合管理計算機。
【請求項５】
前記管理計算機選択部は、記憶領域間のコピー情報と該コピー情報を所有する記憶装置との対応関係を含む管理情報を基に前記コピー情報に対する管理機能を提供すべき管理計算機を選択することを特徴とする請求項１に記載の統合管理計算機。
【請求項６】
前記各管理計算機は、前記記憶装置内に、連続した記憶領域により区分され、独立の記憶装置として扱うことが可能となる論理記憶装置を作成する論理記憶装置作成部と、前記論理記憶装置に含まれるデバイス情報を移行単位として、前記デバイス情報を含む管理情報を移行先の管理計算機に移行する管理情報移行部と、前記管理情報の移行時に、前記論理記憶装置に対するアクセス権を前記移行先の管理計算機に設定するアクセス権設定部とを備え、前記管理計算機選択部は、選択した管理計算機のうち一つを移行先の管理計算機とし、他の一つを移行元の管理計算機としてなることを特徴とする請求項１に記載の統合管理計算機。
【請求項７】
前記各管理計算機は、前記記憶装置内に、連続した記憶領域により区分され、独立の記憶装置として扱うことが可能となる論理記憶装置を作成する論理記憶装置作成部と、前記論理記憶装置に含まれるデバイス情報を移行単位として、前記デバイス情報を含む管理情報を移行先の管理計算機に移行する管理情報移行部と、前記管理情報の移行時に、前記論理記憶装置に対するアクセス権を前記移行先の管理計算機に設定するアクセス権設定部とを備え、前記管理計算機選択部は、選択した管理計算機のうち移行先の管理計算機に対して、管理情報の移行を指示する管理情報移行指示部と、前記移行先の管理計算機に対して、前記記憶装置内に論理記憶装置を作成することを指示する論理記憶装置作成指示部とを備えてなることを特徴とする請求項１に記載の統合管理計算機。
【請求項８】
通信ネットワークに接続された複数の記憶装置のいずれかを管理対象とする複数の管理計算機と通信路を介して接続された統合管理計算機による記憶装置管理方法であって、
前記各管理計算機から各管理計算機の管理対象となる記憶装置に関する管理情報を収集し、収集した管理情報を基に要求に従った処理を分担すべき管理計算機を選択する第１の処理と、前記第１の処理の選択による管理計算機に対して、当該管理計算機の管理対象となる記憶装置で管理すべき管理機能を提供する第２の処理と、前記第２の処理で管理機能が提供された管理計算機からその処理情報を収集し、収集した処理情報を統合管理する第３の処理を備えていることを特徴とする記憶装置管理方法。
【請求項９】
前記第１の処理では、記憶領域と該記憶領域を所有する記憶装置との対応関係を含む管理情報を基に前記記憶領域に対する管理機能を提供すべき管理計算機を選択することを特徴とする請求項８に記載の記憶装置管理方法。
【請求項１０】
前記第１の処理では、前記通信ネットワークに接続されて記憶領域が割当てられているホスト計算機と該ホスト計算機を管理対象とする管理計算機との対応関係を含む管理情報を基に前記ホスト計算機に割り当てられた記憶領域に対する管理機能を提供すべき管理計算機を選択することを特徴とする請求項８に記載の記憶装置管理方法。
【請求項１１】
前記第１の処理では、前記記憶装置が提供するリソース、または、前記通信ネットワークに接続されて記憶領域が割当てられているホスト計算機のグループとグループを管理対象とする管理計算機との対応関係を含む管理情報を基に前記グループに対する管理機能を提供すべき管理計算機を選択することを特徴とする請求項８に記載の記憶装置管理方法。
【請求項１２】
前記第１の処理では、記憶領域間のコピー情報と該コピー情報を所有する記憶装置との対応関係を含む管理情報を基に前記コピー情報に対する管理機能を提供すべき管理計算機を選択することを特徴とする請求項８に記載の記憶装置管理方法。
【請求項１３】
前記各管理計算機として、前記記憶装置内に、連続した記憶領域により区分され、独立の記憶装置として扱うことが可能となる論理記憶装置を作成する論理記憶装置作成部と、前記論理記憶装置に含まれるデバイス情報を移行単位として、前記デバイス情報を含む管理情報を移行先の管理計算機に移行する管理情報移行部と、前記管理情報の移行時に、前記論理記憶装置に対するアクセス権を前記移行先の管理計算機に設定するアクセス権設定部とを備えているときに、前記第１の処理では、選択した管理計算機のうち一つを移行先の管理計算機とし、他の一つを移行元の管理計算機にすることを特徴とする請求項８に記載の記憶装置管理方法。
【請求項１４】
前記各管理計算機として、前記記憶装置内に、連続した記憶領域により区分され、独立の記憶装置として扱うことが可能となる論理記憶装置を作成する論理記憶装置作成部と、前記論理記憶装置に含まれるデバイス情報を移行単位として、前記デバイス情報を含む管理情報を移行先の管理計算機に移行する管理情報移行部と、前記管理情報の移行時に、前記論理記憶装置に対するアクセス権を前記移行先の管理計算機に設定するアクセス権設定部とを備えているときに、前記第１の処理では、選択した管理計算機のうち移行先の管理計算機に対して、管理情報の移行を指示する処理と、前記移行先の管理計算機に対して、前記記憶装置内に論理記憶装置を作成することを指示する処理を実行することを特徴とする請求項８に記載の記憶装置管理方法。
【請求項１５】
通信ネットワークに接続されたホスト計算機と、前記通信ネットワークに接続された複数の記憶装置のいずれかを管理対象とする複数の管理計算機と、前記複数の管理計算機と通信路を介して接続された統合管理計算機とを備えた計算機システムであって、
前記統合管理計算機は、前記各管理計算機から各管理計算機の管理対象となる記憶装置に関する管理情報を収集し、収集した管理情報を基に要求に従った処理を分担すべき管理計算機を選択する管理計算機選択部と、前記管理計算機選択部の選択による管理計算機に対して、当該管理計算機の管理対象となる記憶装置で管理すべき管理機能を提供する管理機能提供部と、前記管理機能が提供された管理計算機からその処理情報を収集し、収集した処理情報を統合管理する統合管理部とを備えていることを特徴とする計算機システム。
【請求項１６】
前記管理計算機選択部は、記憶領域と該記憶領域を所有する記憶装置との対応関係を含む管理情報を基に前記記憶領域に対する管理機能を提供すべき管理計算機を選択することを特徴とする請求項１５に記載の計算機システム。
【請求項１７】
前記管理計算機選択部は、記憶領域が割当てられているホスト計算機と該ホスト計算機を管理対象とする管理計算機との対応関係を含む管理情報を基に前記ホスト計算機に割り当てられた記憶領域に対する管理機能を提供すべき管理計算機を選択することを特徴とする請求項１５に記載の計算機システム。
【請求項１８】
前記管理計算機選択部は、前記記憶装置が提供するリソース、または、前記通信ネットワークに接続されて記憶領域が割当てられているホスト計算機のグループとグループを管理対象とする管理計算機との対応関係を含む管理情報を基に前記グループに対する管理機能を提供すべき管理計算機を選択することを特徴とする請求項１５に記載の計算機システム。
【請求項１９】
前記管理計算機選択部は、記憶領域間のコピー情報と該コピー情報を所有する記憶装置との対応関係を含む管理情報を基に前記コピー情報に対する管理機能を提供すべき管理計算機を選択することを特徴とする請求項１５に記載の計算機システム。
【請求項２０】
前記各管理計算機は、前記記憶装置内に、連続した記憶領域により区分され、独立の記憶装置として扱うことが可能となる論理記憶装置を作成する論理記憶装置作成部と、前記論理記憶装置に含まれるデバイス情報を移行単位として、前記デバイス情報を含む管理情報を移行先の管理計算機に移行する管理情報移行部と、前記管理情報の移行時に、前記論理記憶装置に対するアクセス権を前記移行先の管理計算機に設定するアクセス権設定部とを備え、前記管理計算機選択部は、選択した管理計算機のうち一つを移行先の管理計算機とし、他の一つを移行元の管理計算機としてなることを特徴とする請求項１５に記載の計算機システム。
【請求項２１】
前記各管理計算機は、前記記憶装置内に、連続した記憶領域により区分され、独立の記憶装置として扱うことが可能となる論理記憶装置を作成する論理記憶装置作成部と、前記論理記憶装置に含まれるデバイス情報を移行単位として、前記デバイス情報を含む管理情報を移行先の管理計算機に移行する管理情報移行部と、前記管理情報の移行時に、前記論理記憶装置に対するアクセス権を前記移行先の管理計算機に設定するアクセス権設定部とを備え、前記管理計算機選択部は、選択した管理計算機のうち移行先の管理計算機に対して、管理情報の移行を指示する管理情報移行指示部と、前記移行先の管理計算機に対して、前記記憶装置内に論理記憶装置を作成することを指示する論理記憶装置作成指示部とを備えてなることを特徴とする請求項１５に記載の計算機システム。
【発明の詳細な説明】
【技術分野】
【０００１】
本発明は、ネットワークで接続された複数の記憶装置を管理する技術に関し、特に、管理対象となる記憶装置や記憶領域の数が増加する環境における記憶装置を管理する技術に関する。
【背景技術】
【０００２】
計算機システムにおけるデータ管理の効率化に対する需要増加に伴い、ストレージエリアネットワーク（ＳＡＮ）と呼ばれるネットワークが普及している。ＳＡＮでは、複数の記憶装置と複数のホスト計算機がスイッチ等の機器を介して接続され、記憶装置が提供する記憶領域をネットワーク上のホスト計算機が利用する。このためには、ホスト計算機が必要とする容量を適切な記憶装置上に作成し、割当て対象のホスト計算機からアクセス可能となるように設定するといった一連の管理操作が必要となる。記憶装置毎に管理操作を実行すると、管理が複雑になるため、特許文献１に見られるように、一台の管理計算機をＳＡＮに設置し、当該管理計算機にて集中管理することにより管理負荷を低減する技術が開発されている。
【０００３】
【特許文献１】特開２００２−６３０６３
【発明の開示】
【発明が解決しようとする課題】
【０００４】
従来技術による記憶装置管理方法では、独立した管理計算機により管理されていた複数のＳＡＮが一つのＳＡＮに統合される場合、それぞれの管理計算機はＳＡＮ統合後も独立した状態が保持されるため、あるＳＡＮに属していたホスト計算機に別のＳＡＮに属していた記憶装置の記憶領域を割り当てるなど、統合後のＳＡＮ構成に応じた管理操作を提供することができない。また、管理対象となる記憶装置、および、記憶領域の数の増加に伴い、管理情報の量が大きく膨れ上がるが、従来技術による記憶装置管理方法では、管理可能な管理情報の量が、管理計算機のメモリサイズ等のリソース量に制限されるといった問題がある。
【０００５】
本発明の課題は、通信ネットワーク統合や通信ネットワークの規模拡大時にも統合的に記憶装置を管理することにある。
【課題を解決するための手段】
【０００６】
本発明では、通信ネットワーク構成に応じた管理操作を提供するため、要求に応じて、複数の管理計算機のいずれかを選択して利用する統合管理計算機を設ける。具体的には、各管理計算機から記憶装置に関する管理情報を収集し、収集した管理情報を基に要求に従った処理を分担すべき管理計算機を選択し、選択した管理計算機に対して、当該管理計算機の管理対象となる記憶装置で管理すべき管理機能を提供し、管理機能が提供された管理計算機からその処理情報を収集し、収集した処理情報を統合管理する。
【０００７】
また、管理計算機間で管理情報を移行することにより、一台の管理計算機が保持する管理情報量を適正化し、通信ネットワークの規模拡大時にも統合的に記憶装置を管理可能とする。
【発明の効果】
【０００８】
本発明によれば、通信ネットワーク統合や通信ネットワークの規模拡大時にも統合的に記憶装置を管理することが可能になる。
【発明を実施するための最良の形態】
【０００９】
実施形態１
複数の記憶装置と複数のホスト計算機をスイッチ等の機器を介して接続し、記憶装置が提供する記憶領域をＳＡＮを介してホスト計算機が利用するためには、ホスト計算機が必要とする容量を適切な記憶装置上に作成し、割当て対象のホスト計算機からアクセス可能となるように設定するといった一連の管理操作が必要となる。
【００１０】
この際、記憶装置毎に管理操作を実行すると管理が複雑になるため、一台の管理計算機をＳＡＮに設置し、当該管理計算機にて複数台の記憶装置を集中管理することにより管理負荷を低減することが可能である。
【００１１】
しかし、一台の記憶装置が提供する記憶領域等のリソース量が増加する、または、管理対象となる記憶装置の数が増加するに伴い、一台の管理計算機が、すべての記憶装置の管理情報を保持して、情報取得や記憶領域作成、ホスト計算機に対する記憶領域割当てといった管理機能を提供することが難しくなってくる。
【００１２】
本実施形態では、複数台の管理計算機を利用して、協調的にすべての記憶装置に対する管理機能を提供するための方法を提供する。
【００１３】
以下、本発明の実施形態１の概要について図を用いて説明する。図１は、本発明の実施形態１におけるシステム構成の概要を示す図である。
【００１４】
１０１、１０２、１０３はホスト計算機、２０１、２０２は記憶装置を表す。本実施形態では、ホスト計算機１０１、１０２は記憶装置２０１に接続され、ホスト計算機１０３は記憶装置２０２に接続されており、それぞれ２つの記憶領域２７１、２７２または記憶領域２７３、２７４が割当てられている。
【００１５】
また、２１１、２１２、２１３は、一以上の記憶領域を持ち、独立した記憶装置として扱うことが可能な論理記憶装置を表す。
記憶装置が二以上の論理記憶装置を持たない場合には、記憶装置自体を論理記憶装置とみなすことが可能である。
【００１６】
３０１、３０２は管理計算機を表す。管理計算機３０１、３０２は、一以上の論理記憶装置２１１〜２１３を管理対象とする。本実施形態の場合、管理計算機３０１は、記憶装置２０１内の論理記憶装置２１１が管理対象であり、管理計算機３０２は、記憶装置２０１内の論理記憶装置２１２と、記憶装置２０２内の論理記憶装置２１３が管理対象である。
【００１７】
ここで、管理対象とは、管理計算機３０１、３０２を通して、情報取得や記憶領域作成、ホスト計算機１０１〜１０３に対する記憶領域割当てといった管理機能が提供される対象となることを意味する。
つまり、論理記憶装置２１１に対する管理機能は、管理計算機３０１により提供され、論理記憶装置２１２、２１３に対する管理機能は、管理計算機３０２により提供される。
【００１８】
各管理計算機３０１、３０２は、管理対象となる論理記憶装置２１１〜２１３の記憶領域情報を含む構成情報を取得し、管理計算機上に保持するものとする。
【００１９】
４０１は統合管理計算機を表す。統合管理計算機４０１は、一以上の管理計算機３０１、３０２を介して、論理記憶装置２１１〜２１３を管理対象とする。本実施形態では、統合管理計算機４０１は、管理計算機３０１、３０２を利用して、論理記憶装置２１１、２１２、２１３を管理対象とする。
【００２０】
５０１は管理端末を表す。管理端末５０１は、ユーザが情報取得や記憶領域作成、ホスト計算機に対する記憶領域割当てといった管理機能を利用するためのユーザインタフェースを提供する。管理端末５０１が提供するユーザインタフェースは、文字の入出力によるものであっても良く、マウス等の入力装置を利用可能なグラフィカルインタフェースであっても良い。
【００２１】
統合管理計算機４０１は、管理端末５０１に接続され、該管理端末５０１からの要求に応じて管理機能を実行する。管理機能実行の際、統合管理計算機４０１は、管理計算機選択プログラム４２１を用いて、要求の内容に応じて、管理計算機３０１、３０２のいずれかで処理可能であるかを判定し、処理可能である管理計算機３０１または３０２を選択して、処理を振り分ける。さらに、統合管理計算機４０１は、統合応答データ作成プログラム４２２を用いて、管理計算機３０１、３０２からの返信データを結合して、管理端末５０１に返信する。統合管理計算機４０１は、管理対象となる論理記憶装置２１１〜２１３の記憶領域情報を含む構成情報を該統合管理計算機上に保持せず、管理対象となる論理記憶装置２１１〜２１３を管理対象とする管理計算機３０１、３０２の情報を使って、管理計算機３０１、３０２を利用する。
【００２２】
これにより、一台の記憶装置２０１または記憶装置２０２が提供する記憶領域等のリソース量が増加したり、管理対象となる記憶装置の数が増加したりした場合にも、統合管理計算機４０１は、すべての記憶装置２０１、２０２に対して管理機能を提供することが可能になる。
【００２３】
以下、本発明の実施形態１の詳細について図を用いて説明する。
図２は、本発明の実施形態１におけるシステム構成を示す図である。
図２において、１０１、１０２、１０３はホスト計算機、２０１、２０２は記憶装置、３０１、３０２は管理計算機、４０１は統合管理計算機、５０１は管理端末、６０１はファイバチャネルスイッチ（ＦＣスイッチ）、６０２は管理ネットワークを表す。
【００２４】
ホスト計算機１０１、１０２、１０３は、ＣＰＵ１１０、ＣＰＵ１１０により実行されるプログラムと記憶装置から読み出されたデータや記憶装置２０１、２０２に書き込むデータが保持されるメモリ１２０、ファイバチャネル上でのデータ送受信を制御するファイバチャネルインタフェース（ＦＣインタフェース）１３０を備える。ホスト計算機１０１、１０２、１０３はＦＣインタフェース１３０を介して、ＦＣスイッチ６０１に接続している。さらに、ホスト計算機１０１、１０２は、ＦＣスイッチ６０１を介して、記憶装置２０１に接続し、ホスト計算機１０３は、ＦＣスイッチ６０１を介して、記憶装置２０２に接続している。
【００２５】
記憶装置２０１は、記憶装置２０１に対する管理機能実行要求を受け付けるための管理インタフェース２２０、ＣＰＵ２３０、ＣＰＵ２３０により実行されるプログラムやプログラムが利用するデータを保持するメモリ２４０、および、２つの論理記憶装置２１１、２１２を備える。論理記憶装置２１１は、ＦＣスイッチ６０１に接続するためのＦＣインタフェース２５１、ホスト計算機１０１からのＩＯ要求を処理するためのＩＯ処理モジュール２６１、ホスト計算機１０１が利用するための記憶領域２７１、２７２を備え、論理記憶装置２１２は、ＦＣスイッチ６０１に接続するためのＦＣインタフェース２５２、ホスト計算機１０２からのＩＯ要求を処理するためのＩＯ処理モジュール２６２、ホスト計算機１０２が利用するための記憶領域２７３、２７４を備える。
【００２６】
記憶領域２７１、２７２は、ＦＣインタフェース２５１を介して、ＦＣスイッチ６０１に接続している。さらに、記憶領域２７１、２７２は、ＦＣスイッチ６０１を介して、ホスト計算機１０１に接続している。つまり、ホスト計算機１０１は、記憶領域２７１、２７２をデータ読み取り、データ書き込みのための領域として利用している。
【００２７】
記憶領域２７３、２７４は、ＦＣインタフェース２５２を介して、ＦＣスイッチ６０１に接続している。さらに、記憶領域２７３、２７４は、ＦＣスイッチ６０１を介して、ホスト計算機１０２に接続している。
つまり、ホスト計算機１０２は、記憶領域２７３、２７４をデータ読み取り、データ書き込みのための領域として利用している。
【００２８】
また、記憶装置２０１は、管理インタフェース２２０を介して、管理ネットワーク６０２に接続している。さらに、記憶装置２０１は、管理ネットワーク６０２を介して、管理計算機３０１に接続している。
【００２９】
記憶装置２０２は、記憶装置２０２に対する管理機能実行要求を受け付けるための管理インタフェース２２０、ＣＰＵ２３０、ＣＰＵ２３０により実行されるプログラムやプログラムが利用するデータを保持するメモリ２４０、および、１つの論理記憶装置２１３を備える。論理記憶装置２１３は、ＦＣスイッチ６０１に接続するためのＦＣインタフェース２５３、ホスト計算機１０３からのＩＯ要求を処理するためのＩＯ処理モジュール２６３、ホスト計算機１０３が利用するための記憶領域２７５、２７６を備える。
【００３０】
記憶領域２７５、２７６は、ＦＣインタフェース２５３を介して、ＦＣスイッチ６０１に接続している。さらに、記憶領域２７５、２７６は、ＦＣスイッチ６０１を介して、ホスト計算機１０３に接続している。
つまり、ホスト計算機１０３は、記憶領域２７５、２７６をデータ読み取り、データ書き込みのための領域として利用している。また、記憶装置２０２は、管理インタフェース２２０を介して、管理ネットワーク６０２に接続している。さらに、記憶装置２０２は、管理ネットワーク６０２を介して、管理計算機３０１、３０２に接続している。
【００３１】
管理計算機３０１、３０２は、ＣＰＵ３１０と、ＣＰＵ３１０により実行されるプログラムやプログラムが利用するデータを保持するメモリ３２０と、ＬＡＮアダプタ等のネットワークインタフェース（ネットワークＩ／Ｆ）３３０を備える。管理計算機３０１は、ネットワークＩ／Ｆ３３０を介して、管理ネットワーク６０２と統合管理計算機４０１に接続している。さらに、管理計算機３０１は、管理ネットワーク６０２を介して、記憶装置２０１に接続している。管理計算機３０２は、ネットワークＩ／Ｆ３３０を介して、管理ネットワーク６０２と統合管理計算機４０１に接続している。さらに、管理計算機３０２は、管理ネットワーク６０２を介して、記憶装置２０１、２０２に接続している。
【００３２】
統合管理計算機４０１は、ＣＰＵ４１０と、ＣＰＵ４１０により実行されるプログラムやプログラムが利用するデータを保持するメモリ４２０と、ＬＡＮアダプタ等のネットワークインタフェース（ネットワークＩＦ）４３０を備える。統合管理計算機４０１は、ネットワークＩ／Ｆ４３０を介して、管理計算機３０１、３０２と管理端末５０１に接続している。
【００３３】
管理端末５０１は、ＣＰＵ５１０と、ＣＰＵ５１０により実行されるプログラムやプログラムが利用するデータを保持するメモリ５２０と、ＬＡＮアダプタ等のネットワークインタフェース（ネットワークＩＦ）５３０を備える。管理端末５０１は、ネットワークＩ／Ｆ５３０を介して、統合管理計算機４０１に接続している。
【００３４】
図３は本実施形態における記憶装置２０１、２０２のメモリ２４０に保持されるプログラムとデータの一例を示す。記憶装置２０１、２０２のメモリ２４０には、記憶装置２０１、２０２が持つ論理記憶装置２１１、２１２、２１３に対する管理権限を検証するための認証プログラム２４１と、記憶装置２０１、２０２に対する管理機能を提供するための管理機能提供プログラム２４２と、記憶装置２０１、２０２が持つ記憶領域２７１〜２７６に関するデータを保持する記憶領域情報２４３と、記憶装置２０１、２０２が持つ論理記憶装置２１１〜２１３に関するデータを保持する論理記憶装置情報２４４と、記憶装置２０１、２０２が持つ論理記憶装置２１１〜２１３に対する管理権限に関するデータを保持する認証情報２４５と、記憶装置２０１、２０２が持つコピーペアに関するデータを保持するコピーペア情報２４６が保持される。管理機能提供プログラム２４２は、記憶装置２０１、２０２の記憶領域２７１〜２７６に対する管理機能を提供するための記憶領域管理機能提供プログラム２４２Ａと、記憶装置２０１、２０２の論理記憶装置２１１〜２１３に対する管理機能を提供するための論理記憶装置管理機能提供プログラム２４２Ｂと、記憶装置２０１、２０２のコピーペアに対する管理機能を提供するためのコピーペア管理機能提供プログラム２４２Ｃを備える。
【００３５】
認証プログラム２４１、管理機能提供プログラム２４２（記憶領域管理機能提供プログラム２４２Ａ、論理記憶装置管理機能提供プログラム２４２Ｂ、コピーペア管理機能提供プログラム２４２Ｃ）は、記憶装置２０１、２０２が備える磁気ディスク装置等の不揮発記録媒体に格納され、記憶装置２０１、２０２の起動時にＣＰＵ２３０によりメモリ２４０にロードされて実行される。プログラムを格納する媒体は、磁気ディスク装置以外の他の記憶媒体（不揮発性メモリやＣＤ−ＲＯＭ，フロッピー（登録商標）ディスク等）でも良い。さらに、プログラムは当該記憶媒体から記憶装置２０１、２０２にロードして実行しても良いし、ネットワークを介して当該記憶媒体にアクセスしてロードするものとしても良い。
【００３６】
図４は本実施形態における管理計算機３０１、３０２のメモリ３２０に保持されるプログラムとデータの一例を示す。管理計算機３０１、３０２のメモリ３２０には、管理計算機３０１、３０２が管理対象とする記憶装置２０１、２０２に対する管理機能を提供するための管理機能提供プログラム３２１と、管理計算機３０１、３０２が管理対象とする論理記憶装置２１１〜２１３に関するデータを保持する論理記憶装置情報３２２と、管理計算機３０１、３０２が管理対象とする論理記憶装置２１１〜２１３の記憶領域２７１〜２７６に関するデータを保持する記憶領域情報３２３と、管理計算機３０１、３０２が管理対象とするホスト計算機１０１、１０２、１０３に関するデータを保持するホスト計算機情報３２４と、管理計算機３０１、３０２が管理対象とするグループに関するデータを保持するグループ情報３２５と、管理計算機３０１、３０２が管理対象とする論理記憶装置２１１〜２１３のコピーペアに関するデータを保持するコピーペア情報３２６が保持される。管理機能提供プログラム３２１は、管理計算機３０１、３０２が管理対象とする論理記憶装置２１１〜２１３に対する管理機能を提供するための論理記憶装置管理機能提供プログラム３２１Ａと、管理計算機３０１、３０２が管理対象とする論理記憶装置２１１〜２１３の記憶領域２７１〜２７６に対する管理機能を提供するための記憶領域管理機能提供プログラム３２１Ｂと、管理計算機３０１、３０２が管理対象とするホスト計算機１０１〜１０３に対する管理機能を提供するためのホスト計算機管理機能提供プログラム３２１Ｃと、管理計算機３０１、３０２が管理対象とするグループに対する管理機能を提供するためのグループ管理機能提供プログラム３２１Ｄと、管理計算機３０１、３０２が管理対象とする論理記憶装置２１１〜２１３のコピーペアに対する管理機能を提供するためのコピーペア管理機能提供プログラム３２１Ｅを備える。
【００３７】
ホスト計算機情報３２４は、後述するようにホスト計算機１０１〜１０３に割当てられている記憶領域の関係を示す管理情報である。本実施形態では、記憶装置２０１、２０２上には、ホスト計算機情報３２４は置かれていないが、記憶装置２０１、２０２が記憶領域の割当先ホスト計算機１０１〜１０３の情報を持つことが可能な場合には、記憶装置２０１、２０２にホスト計算機情報があっても良い。たとえば、マスキングと呼ばれる、記憶領域に対するホスト計算機１０１〜１０３のアクセス権を記憶装置で設定する機能を持つ記憶装置２０１、２０２の場合には、記憶装置２０１、２０２にホスト計算機情報があっても良い。
【００３８】
本実施形態では、ホスト計算機情報３２４は、ＦＣスイッチでのゾーニング機能、記憶装置２０１、２０２のマスキング機能等によりホスト計算機１０１〜１０３に割当てられている記憶領域の関係を示すものとする。  グループ情報３２５は、後述するように、本実施形態においてはホスト計算機１０１〜１０３をグルーピングするために用いられる情報であり、記憶装置２０１、２０２の内部的な情報とは独立して存在する。つまり、本実施形態における、ホスト計算機管理機能提供プログラム３２１Ｃと、グループ管理機能提供プログラム３２１Ｄは、記憶装置固有の管理機能を提供するものではなく、効率的にホスト計算機１０１〜１０３に記憶領域を割当てるために、ホスト計算機１０１〜１０３、または、グループを単位とした管理機能を提供するものである。
【００３９】
管理機能提供プログラム３２１（論理記憶装置管理機能提供プログラム３２１Ａ、記憶領域管理機能提供プログラム３２１Ｂ、ホスト計算機管理機能提供プログラム３２１Ｃ、グループ管理機能提供プログラム３２１Ｄ、コピーペア管理機能提供プログラム３２１Ｅ）は、管理計算機３０１、３０２が備える磁気ディスク装置等の不揮発記録媒体に格納され、管理計算機３０１、３０２の起動時に、ＣＰＵ３１０によりメモリ３２０にロードされて実行される。プログラムを格納する媒体は、磁気ディスク装置以外の他の記憶媒体（不揮発性メモリやＣＤ−ＲＯＭ，フロッピー（登録商標）ディスク等）でも良い。さらに、プログラムは当該記憶媒体から管理計算機３０１、３０２にロードして実行しても良いし、ネットワークを介して当該記憶媒体にアクセスしてロードするものとしても良い。
【００４０】
図５は本実施形態における統合管理計算機４０１のメモリ４２０に保持されるプログラムとデータの一例を示す。統合管理計算機４０１のメモリ４２０には、指定されたリソースに対する管理機能を提供する管理計算機３０１または３０２を選択するための管理計算機選択プログラム４２１と、一台以上の管理計算機３０１、３０２からの応答データを結合して一つの応答データを作成するための統合応答データ作成プログラム４２２と、統合管理計算機４０１が管理対象とする論理記憶装置２１１〜２１３に対する管理機能を提供するための統合管理機能提供プログラム４２３と、論理記憶装置２１１〜２１３と当該論理記憶装置２１１〜２１３を管理対象とする管理計算機３０１または３０２の関係に関するデータを保持する論理記憶装置−管理計算機対応情報４２４と、論理記憶装置２１１〜２１３と当該論理記憶装置２１１〜２１３が持つ記憶領域の関係に関するデータを保持する論理記憶装置−記憶領域対応情報４２５と、ホスト計算機１０１〜１０３と当該ホスト計算機１０１〜１０３を管理対象とする管理計算機３０１または３０２の関係に関するデータを保持するホスト計算機−管理計算機対応情報４２６と、グループと当該グループを管理対象とする管理計算機３０１または３０２の関係に関するデータを保持するグループ−管理計算機対応情報４２７と、コピーペアと当該コピーペアを管理対象とする管理計算機３０１または３０２の関係に関するデータを保持するコピーペア−管理計算機対応情報４２８が保持される。前記統合管理機能提供プログラム４２３は、統合管理計算機４０１が管理対象とする論理記憶装置２１１〜２１３に対する管理機能を提供するための論理記憶装置管理機能提供プログラム４２３Ａと、統合管理計算機４０１が管理対象とする論理記憶装置２１１〜２１３の記憶領域に対する管理機能を提供するための記憶領域管理機能提供プログラム４２３Ｂと、統合管理計算機４０１が管理対象とするホスト計算機１０１〜１０３に対する管理機能を提供するためのホスト計算機管理機能提供プログラム４２３Ｃと、統合管理計算機４０１が管理対象とするグループに対する管理機能を提供するためのグループ管理機能提供プログラム４２３Ｄと、統合管理計算機４０１が管理対象とする記憶装置２０１、２０２のコピーペアに対する管理機能を提供するためのコピーペア管理機能提供プログラム４２３Ｅを備える。
【００４１】
管理計算機選択プログラム４２１は、管理計算機選択部の一要素として、統合応答データ作成プログラム４２２は、統合管理部の一要素として、統合管理機能提供プログラム４２３（論理記憶装置管理機能提供プログラム４２３Ａ、記憶領域管理機能提供プログラム４２３Ｂ、ホスト計算機管理機能提供プログラム４２３Ｃ、グループ管理機能提供プログラム４２３Ｄ、コピーペア管理機能提供プログラム４２３Ｅ）は、統合管理機構提供部の一要素として、統合管理計算機４０１が備える磁気ディスク装置等の不揮発記録媒体に格納され、統合管理計算機４０１の起動時にＣＰＵ４１０によりメモリ４２０にロードされて実行される。プログラムを格納する媒体は、磁気ディスク装置以外の他の記憶媒体（不揮発性メモリやＣＤ−ＲＯＭ，フロッピー（登録商標）ディスク等）でも良い。さらに、プログラムは当該記憶媒体から統合管理計算機４０１にロードして実行しても良いし、ネットワークを介して当該記憶媒体にアクセスしてロードするものとしても良い。
【００４２】
図６は本実施形態における管理端末５０１のメモリ５２０に保持されるプログラムとデータの一例を示す。管理端末５０１のメモリ５２０には、記憶装置２０１、２０２の管理に関するユーザインタフェースを提供する管理プログラム５２１が保持される。管理プログラム５２１は、論理記憶装置２１１〜２１３の情報取得や設定操作の実行を指示するための論理記憶装置管理プログラム５２１Ａと、記憶領域の情報取得や設定操作の実行を指示するための記憶領域管理プログラム５２１Ｂと、ホスト計算機１０１〜１０３の情報取得や設定操作の実行を指示するためのホスト計算機管理プログラム５２１Ｃと、グループの情報取得や設定操作の実行を指示するためのグループ管理プログラム５２１Ｄと、コピーペアの情報取得や設定操作の実行を指示するためのコピーペア管理プログラム５２１Ｅを備える。
【００４３】
管理プログラム５２１（論理記憶装置管理プログラム５２１Ａ、記憶領域管理プログラム５２１Ｂ、ホスト計算機管理プログラム５２１Ｃ、グループ管理プログラム５２１Ｄ、コピーペア管理プログラム５２１Ｅ）は、管理端末５０１が備える磁気ディスク装置等の不揮発記録媒体に格納され、管理端末５０１の起動時にＣＰＵ５１０によりメモリ５２０にロードされて実行される。プログラムを格納する媒体は、磁気ディスク装置以外の他の記憶媒体（不揮発性メモリやＣＤ−ＲＯＭ，フロッピー（登録商標）ディスク等）でも良い。さらに、プログラムは当該記憶媒体から管理端末５０１にロードして実行しても良いし、ネットワークを介して当該記憶媒体にアクセスしてロードするものとしても良い。
【００４４】
図７は本実施形態における記憶装置２０１、２０２のメモリ２４０に保持される記憶領域情報２４３の一例を示す。記憶領域情報２４３は、記憶装置２０１、２０２内の記憶領域の識別情報を表す記憶領域ＩＤ２４３−１と、当該記憶領域のサイズを表す容量２４３−２と、当該記憶領域のＲＡＩＤ構成種別を表すＲＡＩＤレベル２４３−３と、当該記憶領域の異常有無を表す状態２４３−４をデータとして持つ。
【００４５】
図７の例では、共にＲＡＩＤ５にて構成されていて、２００ＧＢの容量を持ち、異常が発生していない、ＩＤ１、および、ＩＤ２の２つの記憶領域が記憶装置内に存在する。
【００４６】
本実施形態では、記憶領域の４つの属性値のみを例示しているが、属性値の数は４に限定されることはなく、多数の属性値を備えていても良い。
【００４７】
図８は本実施形態における記憶装置２０１、２０２のメモリ２４０に保持される論理記憶装置情報２４４の一例を示す。論理記憶装置情報２４４は、記憶装置２０１、２０２内の論理記憶装置２１１〜２１３の識別情報を表す論理記憶装置ＩＤ２４４−１と、当該論理記憶装置２１１〜２１３に割当てられている記憶領域の先頭記憶領域ＩＤを表す先頭記憶領域ＩＤ２４４−２と、当該論理記憶装置２１１〜２１３に割当てられている記憶領域の最終記憶領域ＩＤを表す最終記憶領域ＩＤ２４４−３と、当該論理記憶装置２１１〜２１３に割当てられている記憶領域のサイズの和を表す総容量２４４−４をデータとして持つ。
【００４８】
図８の例では、記憶装置２０１、２０２内にＩＤ１とＩＤ２の論理記憶装置が存在する。ＩＤ１の論理記憶装置には、記憶領域ＩＤ１から記憶領域ＩＤ１００までの総容量２０ＴＢの記憶領域が割当てられている。また、ＩＤ２の論理記憶装置には、記憶領域ＩＤ１０１から記憶領域ＩＤ３００までの総容量４０ＴＢの記憶領域が割当てられている。
【００４９】
それぞれの論理記憶装置は、連続する記憶領域を所持するため、記憶領域が複数の論理記憶装置に含まれることはない。このため、記憶領域を指定すると、本情報から、該記憶領域が含まれる論理記憶装置を判定することが可能である。
【００５０】
図９は本実施形態における記憶装置２０１、２０２のメモリ２４０に保持される認証情報２４５の一例を示す。認証情報２４５は、記憶装置２０１、２０２内の論理記憶装置２１１〜２１３の識別情報を表す論理記憶装置ＩＤ２４６−１と、管理機能を利用するユーザの識別情報を表すユーザＩＤ２４６−２と、２４６−１で特定される論理記憶装置に対する２４６−２で特定されるユーザのアクセス権限を表す権限２４６−３をデータとして持つ。
【００５１】
図９の例では、ＩＤ１の論理記憶装置に対して、ＵＳＥＲ１をＩＤとするユーザがすべての操作を実行することが可能であり、ＩＤ２の論理記憶装置に対して、ＵＳＥＲ２をＩＤとするユーザが読み取り操作を実行することが可能であることが示されている。
【００５２】
図９では、図示されていないが、ユーザＩＤと対応するパスワード情報を認証情報２４５に含めても良い。また、ユーザＩＤ、パスワードの組合せを、実行されるオペレーティングシステムのアカウント情報と照合しても良い。
【００５３】
また、本実施形態では、認証情報として、ユーザＩＤを用いているが、ネットワークアドレス等の他の識別情報を用いても良い。
【００５４】
図１０は本実施形態における記憶装置２０１、２０２のメモリ２４０に保持されるコピーペア情報２４６の一例を示す。コピーペア情報２４６は、記憶装置２０１、２０２内のコピーペアの識別情報を表すコピーペアＩＤ２４６−１と、当該コピーペアにおける主記憶領域の識別情報を表す主記憶領域ＩＤ２４６−２と、当該コピーペアにおけるバックアップのために使用される副記憶領域の識別情報を表す副記憶領域ＩＤ２４６−３と、当該コピーペアの遷移状況を表す状態２４６−４をデータとして持つ。
【００５５】
図１０の例では、記憶装置２０１、２０２内にＩＤ１とＩＤ２のコピーペアが存在する。ＩＤ１のコピーペアの主記憶領域は、記憶領域ＩＤ１の記憶領域であり、副記憶領域は、記憶領域ＩＤ１１の記憶領域である。また、ＩＤ１のコピーペアは、主記憶領域に書き込まれたデータが副記憶領域に正常に書き込まれている状態を示すペア状態となっている。さらに、ＩＤ２のコピーペアの主記憶領域は、記憶領域ＩＤ１０１の記憶領域であり、副記憶領域は、記憶領域ＩＤ２０１の記憶領域である。また、ＩＤ２のコピーペアは、主記憶領域と副記憶領域のペア関係が切断された状態であることを示す分断状態となっている。
【００５６】
コピーペア情報２４６に含まれる各コピーペアの主記憶領域と副記憶領域は、同一の論理記憶装置に含まれていても良く、異なる論理記憶装置に含まれていても良い。
【００５７】
図１１は本実施形態における管理計算機３０１、３０２のメモリ３２０に保持される論理記憶装置情報３２２の一例を示す。論理記憶装置情報３２２は、管理計算機３０１、３０２が管理対象とする論理記憶装置２１１〜２１３の識別情報を表す装置ＩＤ３２２−１と、対象論理記憶装置の管理インタフェースに接続する際に指定するアドレス情報を表すアドレス３２２−２と、対象論理記憶装置の記憶装置内での論理記憶装置の識別情報を表す論理記憶装置ＩＤ３２２−３と、対象論理記憶装置の管理インタフェースに接続する際に指定するユーザ情報を表すユーザＩＤ３２２−４をデータとして持つ。
【００５８】
図１１の例では、管理計算機３０１、３０２の管理対象として、装置ＩＤがＭ１：Ｓ１：１とＭ１：Ｓ１：３の２台の論理記憶装置が存在する。本装置ＩＤの形式は、論理記憶装置を持つ記憶装置のモデル名と、該記憶装置のシリアル番号と、論理記憶装置の記憶装置内でのＩＤを符号’：’により連結したものである。装置ＩＤがＭ１：Ｓ１：１の論理記憶装置の管理インタフェースのアドレスは１０．１．１．１であり、記憶装置２０１、２０２内での論理記憶装置ＩＤは１であり、論理記憶装置の管理インタフェースにアクセスする際のユーザＩＤはＵＳＥＲ１として登録されている。装置ＩＤがＭ１：Ｓ１：３の論理記憶装置の管理インタフェースのアドレスは１０．１．１．２であり、記憶装置２０１、２０２内での論理記憶装置ＩＤは３であり、論理記憶装置の管理インタフェースにアクセスする際のユーザＩＤはＵＳＥＲ３として登録されている。
【００５９】
本実施形態では、論理記憶装置の管理インタフェースのアドレスとして、ＩＰアドレスの例を挙げたが、通信路上の位置を特定可能な他のデータを利用しても良い。
【００６０】
図１２は本実施形態における管理計算機３０１、３０２のメモリ３２０に保持される記憶領域情報３２３の一例を示す。記憶領域情報３２３は、管理計算機３０１、３０２が管理対象とする論理記憶装置２１１〜２１３の識別情報を表す装置ＩＤ３２３−１と、対象論理記憶装置の記憶装置内での記憶領域の識別情報を表す記憶領域ＩＤ３２３−２と、対象記憶領域のサイズを表す容量３２３−３と、対象記憶領域の異常有無を表す状態３２２−４をデータとして持つ。
【００６１】
本実施形態では、記憶領域の４つの属性値のみを例示しているが、属性値の数は４に限定されることはなく、多数の属性値を備えていても良い。
【００６２】
図１２の例では、管理計算機３０１、３０２の管理対象として、装置ＩＤがＭ１：Ｓ１：１の論気記憶装置内の記憶領域ＩＤが１と２の２つの記憶領域が存在する。２つの記憶領域は、いずれも容量が２００ＧＢであり、動作状態は正常である。
【００６３】
図１３は本実施形態における管理計算機３０１、３０２のメモリ３２０に保持されるホスト計算機情報３２４の一例を示す。
ホスト計算機情報３２４は、管理計算機３０１、３０２が管理対象とするホスト計算機１０１〜１０３の識別情報を表すホストＩＤ３２４−１と、管理計算機３０１、３０２が管理対象とする論理記憶装置２１１〜２１３の識別情報を表す装置ＩＤと対象論理記憶装置の記憶装置内での記憶領域の識別情報を表す記憶領域ＩＤから構成される、当該ホスト計算機に割当てられている記憶領域を表す割当記憶領域情報３２４−２をデータとして持つ。
【００６４】
図１３の例では、管理計算機３０１、３０２の管理対象として、ホストＩＤがｈｏｓｔ１．ｘｙｚ．ｃｏｍとｈｏｓｔ２．ｘｙｚ．ｃｏｍの２台のホスト計算機が存在する。ホストＩＤがｈｏｓｔ１．ｘｙｚ．ｃｏｍのホスト計算機には、装置ＩＤがＭ１：Ｓ１：１の論気記憶装置内の記憶領域ＩＤが１である記憶領域が割当てられている。ホストＩＤがｈｏｓｔ２．ｘｙｚ．ｃｏｍのホスト計算機には、装置ＩＤがＭ１：Ｓ１：２の論気記憶装置内の記憶領域ＩＤが１０である記憶領域が割当てられている。
【００６５】
本実施形態では、一台のホスト計算機に一台の論理記憶装置上の記憶領域が割当てられている例を挙げているが、一台のホスト計算機に対して、複数台の論理記憶装置上の記憶領域が割当てられていても良い。
【００６６】
図１４は本実施形態における管理計算機３０１、３０２のメモリ３２０に保持されるグループ情報３２５の一例を示す。
グループ情報３２５は、管理計算機３０１、３０２が管理対象とするグループの識別情報を表すグループＩＤ３２５−１、当該グループに所属するホスト計算機の識別情報を表すホストＩＤ３２５−２をデータとして持つ。
【００６７】
図１４の例では、管理計算機３０１、３０２の管理対象として、グループＩＤがＧＲＯＵＰ１の１つのグループが存在する。本グループには、ホストＩＤがｈｏｓｔ１．ｘｙｚ．ｃｏｍとｈｏｓｔ２．ｘｙｚ．ｃｏｍであるホスト計算機が含まれている。
【００６８】
図１５は本実施形態における管理計算機３０１、３０２のメモリ３２０に保持されるコピーペア情報３２６の一例を示す。コピーペア情報３２６は、管理計算機３０１、３０２が管理対象とする論理記憶装置２１１〜２１３の識別情報を表す装置ＩＤ３２６−１と、対象論理記憶装置の記憶装置内でのコピーペアの識別情報を表すコピーペアＩＤ３２６−２と、対象論理記憶装置の記憶装置内での当該コピーペアにおける主記憶領域の識別情報を表す主記憶領域ＩＤ３２６−３と、対象論理記憶装置の記憶装置内での当該コピーペアにおける副記憶領域の識別情報を表す副記憶領域ＩＤ３２６−４と、当該コピーペアの遷移状況を表す状態３２６−５をデータとして持つ。
【００６９】
図１５の例では、管理計算機３０１、３０２の管理対象として、装置ＩＤがＭ１：Ｓ１：１の論理記憶装置内のコピーペアＩＤが１と２の２つのコピーペアが存在する。コピーペアＩＤが１のコピーペアの主記憶領域ＩＤは１であり、副記憶領域ＩＤは１１である。また、コピーペアＩＤが１のコピーペアはペア状態となっている。さらに、コピーペアＩＤが２のコピーペアの主記憶領域ＩＤは１０１であり、副記憶領域ＩＤは２０１である。また、コピーペアＩＤが２のコピーペアは分断状態となっている。
図１６は本実施形態における統合管理計算機４０１のメモリ４２０に保持される論理記憶装置−管理計算機対応情報４２４の一例を示す。
【００７０】
論理記憶装置−管理計算機対応情報４２４は、統合管理計算機４０１が管理対象とする論理記憶装置２１１〜２１３の識別情報を表す装置ＩＤ４２４−１と、当該論理記憶装置に対する管理機能を提供する管理計算機３０１、３０２のアドレス情報を表す管理計算機アドレス４２４−２をデータとして持つ。
【００７１】
図１６の例では、統合管理計算機４０１の管理対象として、装置ＩＤがＭ１：Ｓ１：１とＭ１：Ｓ２：２の２台の論理記憶装置が存在する。装置ＩＤがＭ１：Ｓ１：１の論理記憶装置に対する管理機能を提供する管理計算機のアドレスは１０．２．１．１である。装置ＩＤがＭ１：Ｓ２：２の論理記憶装置に対する管理機能を提供する管理計算機のアドレスは１０．２．１．２である。
【００７２】
図１７は本実施形態における統合管理計算機４０１のメモリ４２０に保持される論理記憶装置−記憶領域対応情報４２５の一例を示す。論理記憶装置−記憶領域対応情報４２５は、統合管理計算機４０１が管理対象とする論理記憶装置２１１〜２１３の識別情報を表す装置ＩＤ４２５−１と、当該論理記憶装置に割当てられている記憶領域の先頭記憶領域ＩＤを表す先頭記憶領域ＩＤ４２５−２と、当該論理記憶装置に割当てられている記憶領域の最終記憶領域ＩＤを表す最終記憶領域ＩＤ４２５−３をデータとして持つ。
【００７３】
図１７の例では、統合管理計算機４０１の管理対象として、装置ＩＤがＭ１：Ｓ１：１とＭ１：Ｓ２：２の２台の論理記憶装置が存在する。装置ＩＤがＭ１：Ｓ１：１の論理記憶装置には、記憶領域ＩＤ１から記憶領域ＩＤ１００までの記憶領域が割当てられている。また、装置ＩＤが１とＭ１：Ｓ２：２の論理記憶装置には、記憶領域ＩＤ１０１から記憶領域ＩＤ３００までの記憶領域が割当てられている。
【００７４】
図１８は本実施形態における統合管理計算機４０１のメモリ４２０に保持されるホスト計算機−管理計算機対応情報４２６の一例を示す。ホスト計算機−管理計算機対応情報４２６は、統合管理計算機４０１が管理対象とするホスト計算機１０１〜１０３の識別情報を表すホストＩＤ４２６−１と、当該ホスト計算機１０１〜１０３に対する管理機能を提供する管理計算機３０１、３０２のアドレス情報を表す管理計算機アドレス４２６−２をデータとして持つ。
【００７５】
図１８の例では、統合管理計算機４０１の管理対象として、ホストＩＤがｈｏｓｔ１．ｘｙｚ．ｃｏｍとｈｏｓｔ２．ｘｙｚ．ｃｏｍの２台のホスト計算機が存在する。ホストＩＤがｈｏｓｔ１．ｘｙｚ．ｃｏｍのホスト計算機に対する管理機能を提供する管理計算機のアドレスは１０．２．１．１である。ホストＩＤがｈｏｓｔ２．ｘｙｚ．ｃｏｍのホスト計算機に対する管理機能を提供する管理計算機のアドレスは１０．２．１．１である。
【００７６】
図１９は本実施形態における統合管理計算機４０１のメモリ４２０に保持されるグループ−管理計算機対応情報４２７の一例を示す。グループ−管理計算機対応情報４２７は、統合管理計算機４０１が管理対象とするグループの識別情報を表すグループＩＤ４２７−１と、当該グループに対する管理機能を提供する管理計算機３０１、３０２のアドレス情報を表す管理計算機アドレス４２７−２をデータとして持つ。
【００７７】
図１９の例では、統合管理計算機４０１の管理対象として、グループＩＤがＧＲＯＵＰ１とＧＲＯＵＰ２の２つのグループが存在する。グループＩＤがＧＲＯＵＰ１のグループに対する管理機能を提供する管理計算機３０１、３０２のアドレスは１０．２．１．１である。グループＩＤがＧＲＯＵＰ２のグループに対する管理機能を提供する管理計算機３０１、３０２のアドレスは１０．２．１．１である。
【００７８】
図２０は本実施形態における統合管理計算機４０１のメモリ４２０に保持されるコピーペア−管理計算機対応情報４２８の一例を示す。コピーペア−管理計算機対応情報４２８は、統合管理計算機４０１が管理対象とする論理記憶装置２１１〜２１３の識別情報を表す装置ＩＤと対象論理記憶装置内でのコピーペアにおける主記憶領域の識別情報を表す記憶領域ＩＤを備える主記憶領域ＩＤ４２８−１と、統合管理計算機４０１が管理対象とする論理記憶装置２１１〜２１３の識別情報を表す装置ＩＤと対象論理記憶装置内でのコピーペアにおける副記憶領域の識別情報を表す記憶領域ＩＤを備える副記憶領域ＩＤ４２８−２と、当該コピーペアに対する管理機能を提供する管理計算機３０１、３０２のアドレス情報を表す管理計算機アドレス４２８−３をデータとして持つ。
【００７９】
図２０の例では、統合管理計算機４０１の管理対象として、装置ＩＤがＭ１：Ｓ１：１の論理記憶装置内に２つのコピーペアが存在する。記憶領域ＩＤが１の記憶領域を主記憶領域とし、記憶領域ＩＤが１１の記憶領域を副記憶領域とするコピーペアと、記憶領域ＩＤが１０１の記憶領域を主記憶領域とし、記憶領域ＩＤが２０１の記憶領域を副記憶領域とするコピーペアである。前者のコピーペアに対する管理機能を提供する管理計算機３０１または３０２のアドレスは１０．２．１．１である。後者のコピーペアに対する管理機能を提供する管理計算機３０１または３０２のアドレスは１０．２．１．１である。
【００８０】
図２１は本実施形態における管理計算機３０１、３０２が記憶装置２０１、２０２の管理情報を取得するまでの処理の流れを示す。
【００８１】
管理計算機３０１、３０２が、ユーザＩＤ、パスワード、および、記憶装置２０１、２０２のアドレスが指定された管理対象論理記憶装置２１１〜２１３の全情報取得要求を統合管理計算機４０１から受信すると（ステップ２１０１）、管理計算機３０１、３０２は、指定されたユーザＩＤ、パスワード、アドレス情報を用いて対象論理記憶装置の論理記憶装置情報２４４、記憶領域情報２４３、コピーペア情報２４６の取得要求を記憶装置２０１、２０１に発行する（ステップ２１０２）。
【００８２】
記憶装置２０１、２０２は、指定されたユーザＩＤ、パスワードによるアクセス権を検証し（ステップ２１０３）、ユーザＩＤ、パスワードが正しく、指定された論理記憶装置２１１〜２１３に対するアクセス権があるか否かを判定し（ステップ２１０４）、アクセス権がある場合は、指定された論理記憶装置情報２４４、記憶領域情報２４３、コピーペア情報２４６を管理計算機３０１、３０２に返信する(ステップ２１０５）。一方、アクセス権がない場合には、記憶装置２０１、２０２はエラーを管理計算機３０１、３０２に返信し（ステップ２１０６）、管理計算機３０１、３０２はエラーを統合管理計算機４０１に返信する（ステップ２１０７）。管理計算機３０１、３０２は、応答データである論理記憶装置情報２４４、記憶領域情報２４３、コピーペア情報２４６を論理記憶装置情報３２２、記憶領域情報３２３、コピーペア情報３２６にテーブルに格納する（ステップ２１０８）。
【００８３】
図２１の一連の手続きにより、管理計算機３０１、３０２は、管理対象となる論理記憶装置２１１〜２１３の管理情報を該管理計算機３０１、３０２上に保持する。
【００８４】
図２２は本実施形態における統合管理計算機が管理計算機と管理対象の対応関係を登録するまでの処理の流れを示す。
【００８５】
統合管理計算機４０１が管理計算機３０１、３０２のアドレスが指定された管理計算機登録要求を受信すると（ステップ２２０１）、統合管理計算機４０１は、管理計算機３０１、３０２に対して論理記憶装置情報３２２の取得要求を発行する（ステップ２２０２）。管理計算機３０１、３０２は論理記憶装置情報３２２を統合管理計算機４０１に返信する（ステップ２２０３）。統合管理計算機４０１は応答データである論理記憶装置情報３２２に含まれる装置ＩＤ３２２−１と管理計算機のアドレス情報の対応関係を論理記憶装置−管理計算機対応情報４２４にテーブルに格納する（ステップ２２０４）。統合管理計算機４０１は管理計算機３０１、３０２に対して記憶領域情報３２３の取得要求を発行する（ステップ２２０５）。
【００８６】
管理計算機３０１、３０２は記憶領域情報３２３を統合管理計算機４０１に返信する（ステップ２２０６）。統合管理計算機４０１は応答データである記憶領域情報３２３の装置ＩＤ３２３−１と記憶領域ＩＤ３２３−２を参照し、装置ＩＤ３２３−１を論理記憶装置−記憶領域対応情報４２５の装置ＩＤ４２５−１に格納し、該装置ＩＤと対応する連続した記憶領域の先頭の記憶領域ＩＤ３２３−２を先頭記憶領域ＩＤ４５２−２に、最終の記憶領域ＩＤ３２３−２を最終記憶領域ＩＤ４５２−３にそれぞれ格納する（ステップ２２０７）。同一の装置ＩＤに対して連続した記憶領域が２以上存在する場合は、それぞれの連続した記憶領域の情報を論理記憶装置−記憶領域対応情報４２５に格納する。統合管理計算機４０１は管理計算機３０１、３０２に対してホスト計算機情報３２４の取得要求を発行する（ステップ２２０８）。管理計算機３０１、３０２はホスト計算機情報３２４を統合管理計算機４０１に返信する（ステップ２２０９）。
【００８７】
統合管理計算機４０１は応答データであるホスト計算機情報３２４に含まれるホストＩＤ３２４−１と管理計算機のアドレス情報の対応関係をホスト計算機−管理計算機対応情報４２６に格納する（ステップ２２１０）。統合管理計算機４０１は管理計算機３０１、３０２に対してグループ情報３２５の取得要求を発行する（ステップ２２１１）。管理計算機３０１、３０２はグループ情報３２５を統合管理計算機４０１に返信する（ステップ２２１２）。統合管理計算機４０１は、応答データであるグループ情報３２５に含まれるグループＩＤ３２５−１と管理計算機のアドレス情報の対応関係をグループ−管理計算機対応情報４２７に格納する（ステップ２２１３）。統合管理計算機４０１は管理計算機３０１、３０２に対してコピーペア情報３２６の取得要求を発行する（ステップ２２１４）。管理計算機３０１、３０２はコピーペア情報３２６を統合管理計算機４０１に返信する（ステップ２２１５）。統合管理計算機４０１は応答データであるコピーペア情報３２６に含まれる装置ＩＤ３２６−１、主記憶領域ＩＤ３２６−３、主記憶領域ＩＤ３２６−４と管理計算機のアドレス情報の対応関係をコピーペア−管理計算機対応情報４２８に格納する（ステップ２２１６）。
【００８８】
図２２の一連の手続きにより、統合管理計算機４０１は、管理計算機３０１、３０２と管理対象の対応関係を該統合管理計算機上に保持する。
【００８９】
図２３は、本実施形態における統合管理計算機４０１が記憶装置２０１、２０２の管理情報を取得するまでの処理の流れを示す。
【００９０】
統合管理計算機４０１が、論理記憶装置情報、記憶領域情報、ホスト計算機情報、グループ情報、コピーペア情報のいずれかの情報取得要求を管理端末５０１から受信すると（ステップ２３０１）、統合管理計算機４０１は、論理記憶装置（ホスト計算機、グループ、コピーペア）−管理計算機対応情報、論理記憶装置−記憶領域対応情報から指定された管理情報を持つ管理計算機を一台以上選択し、指定された管理情報取得要求を管理計算機に発行する（ステップ２３０２）。
【００９１】
一方、選択された管理計算機３０１、３０２は、指定された論理記憶装置情報、記憶領域情報、ホスト計算機情報、グループ情報、コピーペア情報のいずれかの情報を統合管理計算機４０１に返信する（ステップ２３０３）。統合管理計算機４０１は応答データである論理記憶装置情報、記憶領域情報、ホスト計算機情報、グループ情報、コピーペア情報を結合して統合応答データを作成して管理計算機３０１、３０２に返信する（ステップ２３０４）。
【００９２】
図２３の一連の手続きにより、統合管理計算機４０１は、管理対象となる論理記憶装置２１１〜２１３、ホスト計算機１０１〜１０３、グループ、コピーペアに対する管理機能を提供する管理計算機３０１、３０２を利用して、管理情報を取得することが可能となる。
【００９３】
図２４は本実施形態における統合管理計算機４０１の操作処理の流れを示す。
【００９４】
統合管理計算機４０１が、論理記憶装置２１１〜２１３、記憶領域２７１〜２７６、ホスト計算機１０１〜１０３、グループ、コピーペアのいずれに対する操作要求を管理端末５０１から受信すると（ステップ２４０１）、統合管理計算機４０１は、論理記憶装置（ホスト計算機、グループ、コピーペア）−管理計算機対応情報、論理記憶装置−記憶領域対応情報から指定された管理情報を持つ管理計算機を一台以上選択し、指定された操作要求を管理計算機に発行する（ステップ２４０２）。指定された操作要求が、論理記憶装置に対する要求である場合、論理記憶装置−管理計算機対応情報４２４から、該論理記憶装置に対する管理機能を提供する管理計算機のアドレス情報を取得することが可能である。同様に、指定された操作要求が、ホスト計算機１０１〜１０３、グループ、コピーペアに対する要求である場合、それぞれ、ホスト計算機−管理計算機対応情報４２６、グループ−管理計算機対応情報４２７、コピーペア−管理計算機対応情報４２８から管理計算機のアドレス情報を取得することが可能である。
【００９５】
指定された操作要求が、記憶領域に対する要求である場合は、まず、論理記憶装置−記憶領域対応情報４２５から論理記憶装置２１１〜２１３を特定し、論理記憶装置−管理計算機対応情報４２４を参照することにより該記憶領域に対する管理機能を提供する管理計算機３０１、３０２のアドレス情報を取得することが可能である。
【００９６】
管理計算機は、論理記憶装置、記憶領域、コピーペアに対する操作であるか否かを判定し（ステップ２４０３）、論理記憶装置、記憶領域、コピーペアに対する操作である場合はステップ２４０４に遷移し、操作でない場合はステップ２４１２に遷移する。管理計算機３０１、３０２は格納されているユーザＩＤ、パスワード、アドレス情報を用いて対象論理記憶装置に対して論理記憶装置２１１〜２１３、記憶領域、コピーペアに対する操作要求を発行する（ステップ２４０４）。記憶装置２０１、２０２は、指定されたユーザＩＤ、パスワードによるアクセス権を検証する（ステップ２４０５）。
【００９７】
記憶装置２０１、２０２は、ユーザＩＤ、パスワードが正しく、指定された論理記憶装置に対するアクセス権があるか否かを判定し（ステップ２４０６）、アクセス権がある場合はステップ２４０７に遷移し、アクセス権がない場合はステップ２４０９に遷移する。記憶装置２０１、２０２は、指定された論理記憶装置、記憶領域、コピーペアに対する操作を実行する（ステップ２４０７）。
【００９８】
管理計算機３０１、３０２は、論理記憶装置情報３２２、記憶領域情報３２３、コピーペア情報３２６のうち、変更の発生したデータを更新し、ステップ２４１３に遷移する（ステップ２４０８）。記憶装置２０１、２０２はエラーを管理計算機３０１、３０２に返信し（ステップ２４０９）。管理計算機３０１、３０２はエラーを統合管理計算機４０１に返信する（ステップ２４１０）。統合管理計算機４０１はエラーを管理計算機３０１、３０２に返信する（ステップ２４１１）。管理計算機３０１、３０２はホスト計算機情報、グループ情報を更新する（ステップ２４１２）。統合管理計算機４０１は応答データを結合して統合応答データを作成して返信する（ステップ２４１３）。
【００９９】
図２４の一連の手続きにより、統合管理計算機４０１は、管理対象となる論理記憶装置２１１〜２１３、ホスト計算機１０１〜１０３、グループ、コピーペアに対する管理機能を提供する管理計算機３０１、３０２を利用して、操作処理を実行することが可能となる。
【０１００】
実施形態２
以下、本発明の実施形態２について図を用いて説明する。図２５は本発明の実施形態２におけるシステム構成を示す図である。図２５が示すように、本実施形態におけるシステム構成は、実施形態１におけるシステム構成に加え、管理計算機３０１と管理計算機３０２が接続する構成となる。
【０１０１】
管理計算機３０１と管理計算機３０２はそれぞれのネットワークＩ／Ｆ３３０を介して接続している。また、図２５で示される管理計算機３０１、３０２上のメモリ３２０に保持されるプログラム、および、統合管理計算機４０１上のメモリ４２０に保持されるプログラムが、実施形態１のときの内容に対して追加が発生する。
【０１０２】
図２６は本実施形態における管理計算機３０１、３０２のメモリ３２０に保持されるプログラムとデータの一例を示す。管理計算機３０１、３０２のメモリ３２０には、実施形態１で保持されているプログラムとデータに加えて、管理計算機３０１、３０２が管理対象とする記憶装置２０１、２０２、または、論理記憶装置２１１〜２１３上で論理記憶装置を作成するための論理記憶装置作成プログラム３２７Ａと、管理計算機３０１、３０２間で管理情報を移行するための管理情報移行プログラム３２７Ｂと、管理情報移行時に移行先の管理計算機３０１、３０２が移行対象となる記憶装置２０１、２０２にアクセス可能となるように権限を設定するためのアクセス権設定プログラム３２７Ｃが保持される。
【０１０３】
論理記憶装置作成プログラム３２７Ａ、管理情報移行プログラム３２７Ｂ、アクセス権設定プログラム３２７Ｃは、管理計算機３０１、３０２が備える磁気ディスク装置等の不揮発記録媒体に格納され、管理計算機３０１、３０２の起動時にＣＰＵ３１０によりメモリ３２０にロードされて実行される。プログラムを格納する媒体は、磁気ディスク装置以外の他の記憶媒体（不揮発性メモリやＣＤ−ＲＯＭ，フロッピー（登録商標）ディスク等）でも良い。さらに、プログラムは当該記憶媒体から管理計算機３０１、３０２にロードして実行しても良いし、ネットワークを介して当該記憶媒体にアクセスしてロードするものとしても良い。
【０１０４】
図２７は本実施形態における統合管理計算機４０１のメモリ４２０に保持されるプログラムとデータの一例を示す。統合管理計算機４０１のメモリ４２０には、実施形態１で保持されているプログラムとデータに加えて、管理計算機３０１、３０２間で管理情報を移行することを指示するための管理情報移行指示プログラム４２９Ａと、管理計算機３０１、３０２が管理対象とする記憶装置２０１、２０２、または、論理記憶装置２１１〜２１３上で論理記憶装置を作成することを指示するための論理記憶装置作成指示プログラム４２９Ｂが保持される。管理情報移行指示プログラム４２９Ａ、論理記憶装置作成指示プログラム４２９Ｂは、統合管理計算機４０１が備える磁気ディスク装置等の不揮発記録媒体に格納され、統合管理計算機４０１の起動時にＣＰＵ４１０によりメモリ４２０にロードされて実行される。プログラムを格納する媒体は、磁気ディスク装置以外の他の記憶媒体（不揮発性メモリやＣＤ−ＲＯＭ，フロッピー（登録商標）ディスク等）でも良い。さらに、プログラムは当該記憶媒体から統合管理計算機４０１にロードして実行しても良いし、ネットワークを介して当該記憶媒体にアクセスしてロードするものとしても良い。
【０１０５】
図２８は本実施形態における統合管理計算機４０１の操作処理の流れを示す。統合管理計算機４０１が、論理記憶装置２１１〜２１３、記憶領域、ホスト計算機１０１〜１０３、グループ、コピーペアのいずれに対する操作要求を受信すると（ステップ２８０１）、統合管理計算機４０１は、論理記憶装置（ホスト計算機、グループ、コピーペア）−管理計算機対応情報、論理記憶装置−記憶領域対応情報から指定された管理情報を持つ管理計算機を一台以上選択し、指定された操作要求を管理計算機３０１、３０２に発行する（ステップ２８０２）。
【０１０６】
管理計算機３０１、３０２は操作実行後のリソース量を算出し（ステップ２８０３）、算出結果から操作実行後のリソース量がしきい値未満であるか否かを判定し（ステップ２８０４）、リソース量がしきい値未満である場合はステップ２８０５に遷移し、リソース量がしきい値未満でない場合はステップ２８０６に遷移し、図２４に示すステップ２４０３に遷移する（ステップ２８０５）。
【０１０７】
管理計算機３０１、３０２の一方は統合管理計算機４０１にリソース量超過を通知する（ステップ２８０６）。統合管理計算機４０１は当該管理計算機から移行可能な記憶装置２０１、２０２を探索し（ステップ２８０７）、移行可能な記憶装置２０１、２０２が存在するか否かを判定し（ステップ２８０８）、存在する場合はステップ２８０９に遷移し、存在しない場合はステップ２８１０に遷移する（ステップ２８０９）。
【０１０８】
次に、管理計算機３０１、３０２の一方は、記憶装置２０１、２０２の管理情報を移行し、ステップ２８０２に遷移する（ステップ２８１０）。統合管理計算機４０１は当該管理計算機から移行可能な論理記憶装置を探索し（ステップ２８１１）、移行可能な論理記憶装置が存在するか否かを判定し、存在する場合はステップ２７１２に遷移し、存在しない場合はステップ２８１３に遷移し、論理記憶装置の管理情報を移行して、ステップ２８０２に遷移する（ステップ２８１２）。統合管理計算機４０１は当該管理計算機から移行可能となるように論理記憶装置を作成する要求を管理計算機に対して発行する（ステップ２８１３）。管理計算機３０１、３０２は特定ホスト計算機に割当てられている記憶領域を構成要素とする論理記憶装置を作成する（ステップ２８１４）。統合管理計算機４０１は作成された論理記憶装置の管理情報の移行を指示し、ステップ２８０２に遷移する（ステップ２８１５）。
【０１０９】
図２８の一連の手続きにより、管理計算機３０１、３０２間で管理情報を移行しつつ、統合管理計算機４０１は、管理対象となる論理記憶装置２１１〜２１３、ホスト計算機１０１〜１０３、グループ、コピーペアに対する管理機能を提供する管理計算機３０１、３０２を利用して、操作処理を実行することが可能となる。
【０１１０】
図２８は本実施形態における管理計算機が管理情報を移行するまでの処理の流れを示す。移行元管理計算機が、記憶装置（論理記憶装置）の管理情報移行指示を受信する（ステップ２９０１）。移行元管理計算機は移行先管理計算機に対象記憶装置（論理記憶装置）に対するユーザＩＤ、パスワード、アドレスを通知と（ステップ２９０２）、移行先管理計算機は、ステップ２１０２以降の処理を実行して、論理記憶装置情報、記憶領域情報、コピーペア情報を取得する（ステップ２９０３）。移行元管理計算機は対象記憶装置（論理記憶装置）の管理情報を削除する（ステップ２９０４）。
【０１１１】
図２９の一連の手続きにより、管理計算機３０１、３０２間で管理情報を移行し、移行先の管理計算機が移行対象論理記憶装置に対するアクセス権を持つことが可能となる。
【０１１２】
図３０は本実施形態における管理計算機が論理記憶装置を作成するまでの処理の流れを示す。管理計算機３０１、３０２が、論理記憶装置作成指示を受信する（ステップ３００１）と、管理計算機３０１、３０２は、現在の状態で移行に必要となるリソース量を持つ論理記憶装置が作成可能かどうかを判定し（ステップ３００２）、作成可能な場合はステップ２９０４に遷移し、作成可能でない場合はステップ３００６に遷移する（ステップ３００３）。管理計算機３０１、３０２は、対象記憶装置に対して論理記憶装置作成を指示する（ステップ３００４）。対象記憶装置は論理記憶装置２１１〜２１３を作成する（ステップ３００５）。同一のホスト計算機に割当てられている記憶領域が含まれる数が最大になるように論理記憶装置を作成する（ステップ３００６）。
【０１１３】
論理記憶装置作成の際に、同一のホスト計算機に割当てられている複数の記憶領域が、論理記憶装置の境界内に含まれない場合等は、記憶領域に含まれるデータを、論理記憶装置の境界内に含まれるように移行しても良い。
【０１１４】
図３０の一連の手続きにより、記憶装置全体から細分化された論理記憶装置に至るまで、管理計算機間で移行する管理情報量に制御することができ、また、効率的にホスト計算機に記憶領域を割当てることが可能となる。
【産業上の利用可能性】
【０１１５】
ＳＡＮ統合やＳＡＮの規模拡大に対応した記憶装置管理ソフトウェアを実現することが可能になる。
【図面の簡単な説明】
【０１１６】
【図１】実施形態１におけるシステム構成の概要を示す図である。
【図２】実施形態１におけるシステム構成を示す図である。
【図３】実施形態１における記憶装置のメモリに保持されるプログラムとデータの一例を示す図である。
【図４】実施形態１における管理計算機のメモリに保持されるプログラムとデータの一例を示す図である。
【図５】実施形態１における統合管理計算機のメモリに保持されるプログラムとデータの一例を示す図である。
【図６】実施形態１における管理端末のメモリに保持されるプログラムとデータの一例を示す図である。
【図７】実施形態１における記憶装置のメモリに保持される記憶領域情報の一例を示す図である。
【図８】実施形態１における記憶装置のメモリに保持される論理記憶装置情報の一例を示す図である。
【図９】実施形態１における記憶装置のメモリに保持される認証情報の一例を示す図である。
【図１０】実施形態１における記憶装置のメモリに保持されるコピーペア情報の一例を示す図である。
【図１１】実施形態１における管理計算機のメモリに保持される論理記憶装置情報の一例を示す図である。
【図１２】実施形態１における管理計算機のメモリに保持される記憶領域情報の一例を示す図である。
【図１３】実施形態１における管理計算機のメモリに保持されるホスト計算機情報の一例を示す図である。
【図１４】実施形態１における管理計算機のメモリに保持されるグループ情報の一例を示す図である。
【図１５】実施形態１における管理計算機のメモリに保持されるコピーペア情報の一例を示す図である。
【図１６】実施形態１における統合管理計算機のメモリに保持される論理記憶装置−管理計算機対応情報の一例を示す図である。
【図１７】実施形態１における統合管理計算機のメモリに保持される論理記憶装置−記憶領域対応情報の一例を示す図である。
【図１８】実施形態１における統合管理計算機のメモリに保持されるホスト計算機−管理計算機対応情報の一例を示す図である。
【図１９】実施形態１における統合管理計算機のメモリに保持されるグループ−管理計算機対応情報の一例を示す図である。
【図２０】実施形態１における統合管理計算機のメモリに保持されるコピーペア−管理計算機対応情報の一例を示す図である。
【図２１】実施形態１における管理計算機が論理記憶装置の管理情報を取得するまでの処理の流れを示す図である。
【図２２】実施形態１における統合管理計算機が管理計算機と管理対象の対応関係を登録するまでの処理の流れを示す図である。
【図２３】実施形態１における統合管理計算機が論理記憶装置の管理情報を取得するまでの処理の流れを示す図である。
【図２４】実施形態１における統合管理計算機の操作処理の流れを示す図である。
【図２５】実施形態２におけるシステム構成を示す図である。
【図２６】実施形態２における管理計算機のメモリに保持されるプログラムとデータの一例を示す図である。
【図２７】実施形態２における統合管理計算機のメモリに保持されるプログラムとデータの一例を示す図である。
【図２８】実施形態２における統合管理計算機の操作処理の流れを示す図である。
【図２９】実施形態２における管理計算機が管理情報を移行するまでの処理の流れを示す図である。
【図３０】実施形態２における管理計算機が論理記憶装置を作成するまでの処理の流れを示す図である。
【符号の説明】
【０１１７】
１０１…ホスト計算機
１０２…ホスト計算機
１０３…ホスト計算機
１１０…ＣＰＵ
１２０…メモリ
１３０…ＦＣインタフェース
２０１…記憶装置
２０２…記憶装置
２１１…論理記憶装置
２１２…論理記憶装置
２１３…論理記憶装置
２２０…管理インタフェース
２３０…ＣＰＵ
２４０…メモリ
２４１…認証プログラム
２４２…管理機能提供プログラム
２４２Ａ…記憶領域管理機能提供プログラム
２４２Ｂ…論理記憶装置管理機能提供プログラム
２４２Ｃ…コピーペア管理機能提供プログラム
２４３…記憶領域情報
２４４…論理記憶装置情報
２４５…認証情報
２４６…コピーペア情報
２５１…ＦＣインタフェース
２５２…ＦＣインタフェース
２５３…ＦＣインタフェース
２６１…ＩＯ処理モジュール
２６２…ＩＯ処理モジュール
２６３…ＩＯ処理モジュール
２７１…記憶領域
２７２…記憶領域
２７３…記憶領域
２７４…記憶領域
２７５…記憶領域
２７６…記憶領域
３０１…管理計算機
３０２…管理計算機
３１０…ＣＰＵ
３２０…メモリ
３２１…管理機能提供プログラム
３２１Ａ…論理記憶装置管理機能提供プログラム
３２１Ｂ…記憶領域管理機能提供プログラム
３２１Ｃ…ホスト計算機管理機能提供プログラム
３２１Ｄ…グループ管理機能提供プログラム
３２１Ｅ…コピーペア管理機能提供プログラム
３２２…論理記憶装置情報
３２３…記憶領域情報
３２４…ホスト計算機情報
３２５…グループ情報
３２６…コピーペア情報
３２７Ａ…論理記憶装置作成プログラム
３２７Ｂ…管理情報移行プログラム
３２７Ｃ…アクセス権設定プログラム
３３０…ネットワークインタフェース
４０１…統合管理計算機
４１０…ＣＰＵ
４２０…メモリ
４２１…管理計算機選択プログラム
４２２…統合応答データ作成プログラム
４２３…統合管理機能提供プログラム
４２３Ａ…論理記憶装置管理機能提供プログラム
４２３Ｂ…記憶領域管理機能提供プログラム
４２３Ｃ…ホスト計算機管理機能提供プログラム
４２３Ｄ…グループ管理機能提供プログラム
４２３Ｅ…コピーペア管理機能提供プログラム
４２４…論理記憶装置−管理計算機対応情報
４２５…論理記憶装置−記憶領域対応情報
４２６…ホスト計算機−管理計算機対応情報
４２７…グループ−管理計算機対応情報
４２８…コピーペア−管理計算機対応情報
４２９Ａ…管理情報移行指示プログラム
４２９Ｂ…論理記憶装置作成指示プログラム
４３０…ネットワークインタフェース
５０１…管理端末
５１０…ＣＰＵ
５２０…メモリ
５２１…管理プログラム
５２１Ａ…論理記憶装置管理プログラム
５２１Ｂ…記憶領域管理プログラム
５２１Ｃ…ホスト計算機管理プログラム
５２１Ｄ…グループ管理プログラム
５２１Ｅ…コピーペア管理プログラム
５３０…ネットワークインタフェース
６０１…ＦＣスイッチ
６０２…管理ネットワーク
【図１】
2008117251.tif 000003
【図２】
2008117251.tif 000004
【図３】
2008117251.tif 000005
【図４】
2008117251.tif 000006
【図５】
2008117251.tif 000007
【図６】
2008117251.tif 000008
【図７】
2008117251.tif 000009
【図８】
2008117251.tif 000010
【図９】
2008117251.tif 000011
【図１０】
2008117251.tif 000012
【図１１】
2008117251.tif 000013
【図１２】
2008117251.tif 000014
【図１３】
2008117251.tif 000015
【図１４】
2008117251.tif 000016
【図１５】
2008117251.tif 000017
【図１６】
2008117251.tif 000018
【図１７】
2008117251.tif 000019
【図１８】
2008117251.tif 000020
【図１９】
2008117251.tif 000021
【図２０】
2008117251.tif 000022
【図２１】
2008117251.tif 000023
【図２２】
2008117251.tif 000024
【図２３】
2008117251.tif 000025
【図２４】
2008117251.tif 000026
【図２５】
2008117251.tif 000027
【図２６】
2008117251.tif 000028
【図２７】
2008117251.tif 000029
【図２８】
2008117251.tif 000030
【図２９】
2008117251.tif 000031
【図３０】
2008117251.tif 000032